(57)【特許請求の範囲】
【請求項１】
（ａ）内側を黒塗りした筒状容器と、
（ｂ）該筒状容器の底に形成されるピンホールと、
（ｃ）該筒状容器の底に配置される撮像装置と、
（ｄ）前記ピンホールに光を入射する光源とを備え、
（ｅ）前記ピンホールに眼をあてがってその眼球の水晶体の濁りを自己観察可能にすることを特徴とする眼球の水晶体観察装置。
【請求項２】
（ａ）容器内に配置される光源と、
（ｂ）ピンホールが形成される前記容器の端部に設けられる眼球の接眼部と、
（ｃ）前記眼球の接眼部に配置される撮像装置とを備え、
（ｄ）前記眼球の水晶体の濁りを自己観察及び記録可能にすることを特徴とする眼球の水晶体観察装置。
【請求項３】
請求項２記載の眼球の水晶体観察装置において、前記光源の光量を調整する光量調整装置を具備することを特徴とする眼球の水晶体観察装置。
【請求項４】
請求項２記載の眼球の水晶体観察装置において、前記容器内に眼球の水晶体の濁りの正しい認識のための標準パターンを具備することを特徴とする眼球の水晶体観察装置。
【請求項５】
請求項４記載の眼球の水晶体観察装置において、前記標準パターンを任意倍率で観察可能にする上下可動式対物・集光レンズを具備することを特徴とする眼球の水晶体観察装置。
【発明の詳細な説明】
【０００１】
【発明の属する技術分野】
本発明は、眼球の水晶体の濁り具合を自己観察できる眼球の水晶体観察装置に関するものである。
【０００２】
【従来の技術】
従来からの眼球の診断装置は、被験者のまぶたの開閉やメタルボンドの動きを考慮し瞬間的に観察・撮影する手法が取られてきた。即ち、麻酔で被験者の瞳孔を開き、強い光を照射することにより水晶体の濁りを網膜上に影として映し出し、その反射光を撮影する方法が取られてきた。
【０００３】
【発明が解決しようとする課題】
しかしながら、これらの従来の手法は装置も大掛かりであり、また被験者に肉体的負担を強いるものであった。
【０００４】
本発明は、上記状況に鑑みて、装置が簡易であり、また被験者に肉体的負担をかけずに簡単に、かつ確実に診断できる眼球の水晶体観察装置を提供することを目的とする。
【０００５】
【課題を解決するための手段】
本発明は、上記目的を達成するために、
〔１〕眼球の水晶体観察装置において、内側を黒塗りした筒状容器と、この筒状容器の底に形成されるピンホールと、この筒状容器の底に配置される撮像装置と、前記ピンホールに光を入射する光源とを備え、前記ピンホールに眼をあてがってその眼球の水晶体の濁りを自己観察可能にすることを特徴とする。
【０００６】
〔２〕眼球の水晶体観察装置において、容器内に配置される光源と、ピンホールが形成される前記容器の端部に設けられる眼球の接眼部と、前記眼球の接眼部に配置される撮像装置とを備え、前記眼球の水晶体の濁りを自己観察及び記録可能にすることを特徴とする。
【０００７】
〔３〕上記〔２〕記載の眼球の水晶体観察装置において、前記光源の光量を調整する光量調整装置を具備することを特徴とする。
【０００８】
〔４〕上記〔２〕記載の眼球の水晶体観察装置において、前記容器内に眼球の水晶体の濁りの正しい認識のための標準パターンを具備することを特徴とする。
【０００９】
〔５〕上記〔４〕記載の眼球の水晶体観察装置において、前記標準パターンを任意倍率で観察可能にする上下可動式対物・集光レンズを具備することを特徴とする。
【００１０】
【発明の実施の形態】
以下、本発明の実施の形態を図を参照しながら説明する。
【００１１】
図１は本発明の第１実施例を示す眼球の水晶体観察装置の構成図である。
【００１２】
この図において、１は直径が約４ｃｍの円筒状容器であり、内側が黒塗りになっている。３はその円筒状容器の底２に形成されたピンホール、４は撮像装置（高感度フィルム又は高感度ＣＣＤカメラ）、５は集光レンズである。
【００１３】
そこで、内側を黒塗りした直径が約４ｃｍの円筒状容器１の底２のピンホール３の位置に被験者の眼球の水晶体６をあてがう。すると、ピンホール３から入った光は眼球の水晶体６を通過し網膜８に照射されるが、その時水晶体６の濁り（汚れ）７がそのまま明暗のコントラストで現れるので自己観察できる。つまり、被験者はピンホール３から明るい場所を覗くだけで、水晶体６の濁り７が網膜８に照射されるので、自分の水晶体の濁りを自分で観察することができる。
【００１４】
また、水晶体６の濁り７は、撮像装置（高感度フィルム又は高感度ＣＣＤカメラ）４によって撮影することができる。
【００１５】
なお、上記実施例では、容器を円筒状容器として示したが、円筒形状に限定するものではなく、四角形状の容器などであってもよいことは言うまでもない。
【００１６】
図２は本発明の第２実施例を示す眼球の水晶体観察・記録装置の構成図である。
【００１７】
この実施例においては、眼球の水晶体の観察・記録のみならず、網膜症などの眼病を発見することもできる。
【００１８】
図２において、１１は可動式カバー、１２は接眼レンズ、１３はレンズ固定具、１４はフィルター、１５は集光レンズ、１６は豆球、１７は乾電池、１８は本体固定台、１９は標準パターン、２０は可変抵抗器、２１はカメラフィルム、２２は固定ネジ、２３はカメラのシャッター、２４は上下可動式対物・集光レンズ、２５はその上下可動式対物・集光レンズ２４の上下方向への駆動機構である。なお、標準パターン１９としては、白内症の汚れパターンの正しい形認識と、網膜症などの発見に役立つように、例えば、図３（ａ）及び図３（ｂ）に示すような、パターンを考えている。
【００１９】
また、カメラのシャッター２３は眼を可動式カバー１１から放した時のカメラフィルム２１の感光を防ぐための遮光に使用する。さらに、上下可動式対物・集光レンズ２４は標準パターン１９を任意の倍率で観察可能にするために用いる。つまり、ズーム式の顕微鏡の概念を導入している。
【００２０】
そこで、豆球１６の明るさを調整しておき、可動式カバー１１の上に被験者の眼の水晶体をあてがって、眼球の水晶体観察装置の中の明るいところを覗くと、その眼球の水晶体の濁り（汚れ）をカメラフィルムに撮影することができる。
【００２１】
このように構成したので、これまで不可能とされてきた被験者本人による被験者本人の水晶体を含む眼球組織の微細観察を可能とする。この観察結果は、従来方法の眼科医の観察結果をはるかに上回るものである。このこと、および網膜症の発見は、眼に関する予防医学などに大きく寄与することができる。
【００２２】
また、簡単な装置で、これまでの水晶体の反射光を利用した水晶体の撮影記録より、分解能でも上回ることができる。
【００２３】
さらに、前述したように、これまでの装置は、まぶたの開閉の影響、眼の位置的不安定さから、瞬間的に観察・撮影をしなければならなかった。このため、麻酔で瞳孔を開き、強い光照射で瞬間的撮影をするようにしていたが、本発明によれば、眼に装置を固定するため、前記のまぶたの開閉の影響及び目の位置的不安定さから解放されるため、麻酔による瞳孔の開放及び強い光照射は不必要になる。
【００２４】
ほとんどの被験者が歳とともに老人性白内障の症状を呈するが、本発明によれば、その進度を自己診断でき大変便利である。
【００２５】
なお、本発明は上記実施例に限定されるものではなく、倍率可変ズーム顕微鏡のように、本発明の趣旨に基づいて種々の変形が可能であり、それらを本発明の範囲から排除するものではない。
【００２６】
【発明の効果】
以上、詳細に説明したように、本発明によれば、以下のような効果を奏することができる。
【００２７】
（Ａ）装置の構成が簡易であり、また診断方法も被験者に肉体的負担をかけずに確実に診断できる。
【００２８】
また、これまで不可能とされてきた被験者本人による被験者本人の水晶体を含む眼球組織の微細観察を可能とする。
【００２９】
（Ｂ）観察結果を撮影することにより、被験者だけでなく第三者も結果を確認でき、医者と患者とが同じ現象を実感しながら話し合える。
【００３０】
（Ｃ）医療機器の整わない地域でも容易に診断・観察が可能となる。
【図面の簡単な説明】
【図１】  本発明の第１実施例を示す眼球の水晶体観察装置の構成図である。
【図２】  本発明の第２実施例を示す眼球の水晶体観察・記録装置の構成図である。
【図３】  本発明の第２実施例を示す眼球の水晶体観察・記録装置の標準パターンを示す図である。
【符号の説明】
１    円筒状容器
２    円筒状容器の底
３    ピンホール
４    撮像装置（高感度フィルム又は高感度ＣＣＤカメラ）
５，１５    集光レンズ
６    眼球の水晶体
７    水晶体の濁り
８    網膜
１１    可動式カバー
１２    接眼レンズ
１３    レンズ固定具
１４    フィルター
１６    豆球
１７    乾電池
１８    本体固定台
１９    標準パターン
２０    可変抵抗器
２１    カメラフィルム
２２    固定ネジ
２３    カメラシャッター
２４    上下可動式対物・集光レンズ
２５    上下駆動機構
【図１】
0003683494.tif 000002
【図２】
0003683494.tif 000003
【図３】
0003683494.tif 000004